(57)【特許請求の範囲】
【請求項１】
ポリマー安定型配向（ＰＳＡ）処理の混合液晶であって：
少なくとも一組のいかなるアルケニル基も有さない第１の液晶化合物；
少なくとも一組の第２の液晶化合物であり、該化合物のそれぞれが、メタクリレート基を除いて少なくとも１つのアルケニル基を有し、前記一組の第１及び第２の液晶化合物の全重量の約０．１乃至２０重量％（ｗｔ％）という範囲で濃度を有する第２の液晶化合物；並びに、
少なくとも一組のメタクリレート基を有する反応性単量体；
を含み、
前記第２の液晶化合物が化学式（１）の化合物：
【化１】
0005020203.tif 000018
を含み、
Ｒ７が、２から８個の炭素原子を有するアルケニル基であり、Ｒ８が、１から８個の炭素原子を有するアルキル基である、混合液晶。
【請求項２】
前記第２の液晶化合物が、化学式（１）の化合物以外に化学式（２）の化合物：
【化２】
0005020203.tif 000019
を少なくとも一つさらに含み、
Ｒ５が、２から８個の炭素原子を有するアルケニル基であり；
Ｒ６が、１から１２個の炭素原子を有するアルキル基であり；
【化３】
0005020203.tif 000020
ｄは０又は１であり；さらに、
【化４】
0005020203.tif 000021
がフェニル基、又は、ハロゲンを有するフェニル基である、請求項１に記載の混合液晶。
【請求項３】
【化５】
0005020203.tif 000022
が、
【化６】
0005020203.tif 000023
である、請求項２に記載の混合液晶。
【請求項４】
酸素（Ｏ）原子が互いに直接結合しないように、Ｒ６の１又は２の隣接していないＣＨ２基が、−Ｏ−、−ＣＨ＝ＣＨ−、−ＣＯ−、−ＯＣＯ−、又は、−ＣＯＯ−と置換される、請求項２に記載の混合液晶。
【請求項５】
前記第２の液晶化合物が、化学式（７）の化合物、又は、化学式（８）の化合物：
【化７】
0005020203.tif 000024
【化８】
0005020203.tif 000025
を含み、
Ｒ７が、２から８個の炭素原子を有するアルケニル基であり、Ｒ８が、１から８個の炭素原子を有するアルキル基である、請求項２に記載の混合液晶。
【請求項６】
前記第１の液晶化合物が、化学式（９）、化学式（１０）、又は化学式（１１）の化合物：
【化９】
0005020203.tif 000026
【化１０】
0005020203.tif 000027
【化１１】
0005020203.tif 000028
を１又は複数含み、
Ｒ１、Ｒ２、Ｒ３、及び、Ｒ４は、独立して、１から１２個の炭素原子を有するアルキル基であり；
【化１２】
0005020203.tif 000029
である、請求項１に記載の混合液晶。
【請求項７】
Ｏ原子が互いに直接結合しないように、Ｒ１、Ｒ２、Ｒ３、及び、Ｒ４のうち１又は２の隣接していないＣＨ２基が、−Ｏ−、−ＣＨ＝ＣＨ−、−ＣＯ−、−ＯＣＯ−、又は、−ＣＯＯ−と任意選択で置換される、請求項６に記載の混合液晶。
【請求項８】
当該混合液晶の組成物が：
約３０から７０ｗｔ％の化学式（９）の化合物；
約１０から５０ｗｔ％の化学式（１０）の化合物；
約２０から６０ｗｔ％の化学式（１１）の化合物；及び
約０．１から２０ｗｔ％の前記第２の液晶化合物；
を含み、
濃度の重量パーセントｗｔ％が、液晶化合物の全重量に基づく、請求項６に記載の混合液晶。
【請求項９】
前記反応性単量体が、化学式（１３）（１４）（１５）（１６）又は（１７）の化合物：
【化１３】
0005020203.tif 000030
【化１４】
0005020203.tif 000031
【化１５】
0005020203.tif 000032
【化１６】
0005020203.tif 000033
【化１７】
0005020203.tif 000034
を含み、さらに、混合液晶における重合体成分が、０．１％≦Ｙ≦１０％（重量％）を満たすＹという濃度を有し、
Ｒが、水素（Ｈ）、フッ素（Ｆ）、塩素（Ｃｌ）、シアン（ＣＮ）、ＳＣＮ、−ＳＦ５Ｈ、ＮＯ２、１から１２個の炭素原子を有する直鎖若しくは分岐鎖のアルキル基、又は、−Ｘ２−Ｓｐ２−Ｐ２であり；
Ｘ１及びＸ２が、独立して、−Ｏ−、−Ｓ−、−ＯＣＨ２−、−ＣＯ−、−ＣＯＯ−、−ＯＣＯ−、−ＣＯ−Ｎ０Ｒ−、−Ｎ０Ｒ−ＣＯ−、−ＳＣＨ２−、−ＣＨ２Ｓ−、−ＣＨ＝ＣＨ−ＣＯＯ−、−ＯＯＣ−ＣＨ＝ＣＨ−又は一重結合であり；
Ｐ１及びＰ２が、独立して、重合可能な基であり；
Ｓｐ１及びＳｐ２が、独立して、スペーサ基又は１つの基であり；
Ｌｍが、独立して、Ｆ、Ｃｌ、ＣＮ、又は、１から７個の炭素原子を有するアルキル基、アルキルカルボニル基、アルコキシカルボニル基、若しくは、アルキルカルボニロキシ基であり；
ｍ≧１であり；
ｎ≧１であり；さらに、
Ｑ１及びＱ２が、独立して、−Ｏ−、−Ｓ−、−ＣＯ−、−ＣＯＯ−、−ＯＣＯ−、−ＯＣＨ２−、−ＳＣＨ２−、−ＣＨ２Ｓ−、−ＣＨ＝ＣＨ−ＣＯＯ−、−ＯＣＣ−ＣＨ＝ＣＨ−、−ＣＦ２Ｏ−、−ＯＣＦ２−、−ＣＦ２Ｓ−、−ＳＣＦ２−、−Ｃ２Ｈ４−、−ＣＦ２ＣＨ２−、−ＣＨ２ＣＦ２−、−ＣＦ２ＣＦ２−、−ＣＨ＝ＣＨ−、−ＣＦ＝ＣＦ−，−Ｃ≡Ｃ−、又は一重結合である；
請求項１に記載の混合液晶。
【請求項１０】
Ｒが１から１２個の炭素原子を有する直鎖又は分岐鎖のアルキル基である場合、Ｏ及び／又はＳ原子が互いに直接結合しないように、Ｒの１又は２の隣接していないＣＨ２基が、−Ｏ−、−Ｓ−、−ＣＨ＝ＣＨ−、−ＣＯ−、−ＯＣＯ−、−ＣＯＯ−、−Ｓ−ＣＯ−、−ＣＯ−Ｓ−、又は、アルキン（−Ｃ≡Ｃ−）で置換される、請求項９に記載の混合液晶。
【請求項１１】
Ｐ１又はＰ２がメタクリレートである、請求項９に記載の混合液晶。
【請求項１２】
Ｐ１及びＰ２が、どちらもメタクリレートである、請求項１１に記載の混合液晶。
【請求項１３】
Ｌが、１から７個の炭素原子を有するアルキル基、アルキルカルボニル基、アルコキシカルボニル基、又は、アルキルカルボニロキシ基である場合、１又は複数のそのＨ原子が、Ｆ又はＣｌで置換される、請求項９に記載の混合液晶。
【請求項１４】
前記反応性単量体が、熱重合が可能な、又は、光重合が可能な反応性単量体である、請求項１に記載の混合液晶。
【請求項１５】
一組の、０％≦Ｘ≦０．００２重量％を満たすＸという濃度を有する開始剤をさらに含む、請求項１に記載の混合液晶。
【請求項１６】
ＰＳＡ液晶ディスプレイ装置であって：
上側基板及び下側基板；並びに
前記上側基板と前記下側基板との間に配置される混合液晶；
を含み、
該混合液晶が：
少なくとも一組のいかなるアルケニル基も有さない第１の液晶化合物；
少なくとも一組の第２の液晶化合物であり、該化合物のそれぞれが、メタクリレート基を除いて少なくとも１つのアルケニル基を有し、前記混合液晶における前記一組の第１及び第２の液晶化合物の全重量の約０．１乃至２０重量％という濃度を有する第２の液晶化合物；並びに、
少なくとも一組のメタクリレートを有する反応性単量体；
を含み、
前記第２の液晶化合物が化学式（１８）の化合物：
【化１８】
0005020203.tif 000035
を含み、
Ｒ７が、２から８個の炭素原子を有するアルケニル基であり、Ｒ８が、１から８個の炭素原子を有するアルキル基である、装置。
【請求項１７】
ＰＳＡ液晶ディスプレイ装置であって：
上側基板及び下側基板；並びに
前記上側基板と前記下側基板との間に配置される混合液晶；
を含み、
該混合液晶が：
少なくとも一組のいかなるアルケニル基も有さない第１の液晶化合物；
少なくとも一組の第２の液晶化合物であり、該化合物のそれぞれが、メタクリレート基を除いて少なくとも１つのアルケニル基を有し、前記混合液晶における前記一組の第１及び第２の液晶化合物の全重量の約０．１乃至２０重量％という濃度を有する第２の液晶化合物；並びに、
メタクリレート基を有する一組の反応性単量体によって少なくとも前記下側基板の表面上に形成される少なくとも一組の重合体；
を含み、
前記第２の液晶化合物が化学式（１９）の化合物：
【化１９】
0005020203.tif 000036
を含み、
Ｒ７が、２から８個の炭素原子を有するアルケニル基であり、Ｒ８が、１から８個の炭素原子を有するアルキル基である、装置。
【発明の詳細な説明】
【技術分野】
【０００１】
本発明は、ポリマー安定型配向（Ｐｏｌｙｍｅｒ  ｓｔａｂｉｌｉｔｙ  ａｌｉｇｎｍｅｎｔ、ＰＳＡ）処理に適用される混合液晶に関し、特に、二重結合を持つ液晶（ＬＣ）分子、及び、メタクリル酸塩を持つ反応性単量体を有する混合液晶に関する。
【背景技術】
【０００２】
液晶ディスプレイ（ＬＣＤ）は小さい体積及び軽量という利点を有しているので、携帯電話、携帯情報端末（ＰＤＡ）、及び、ノートパソコン等、種々の電気製品に利用されている。大型のＬＣＤが急激に開発されたため、ＬＣＤはディスプレイ市場において主流になってきた。しかし、従来のＬＣＤの視角は、高いディスプレイ品質を保証するには広さが十分ではなく、ＬＣＤの開発を制限してしまう。従って、マルチドメイン垂直配向（ＭＶＡ）ＬＣＤパネルが視角を広げるために作製され、そのパネルは、広視角及び短い応答時間を有し、大型フラットディスプレイの市場において主要な製品になっている。
【０００３】
従来のＭＶＡ  ＬＣＤパネルでは、複数の突出部が、ＬＣ分子にプレチルト角を持たせるために上側及び下側基板の内部表面上に配置されている。従って、薄膜堆積、フォトリソグラフィー処理、及び、エッチング処理等の処理がその突出部を形成するために必要とされ、そのため、製作における複雑さ及び費用が上がってしまう。さらに、突出部は、光をさえぎり、口径比を低下させ、さらに、ＭＶＡ  ＬＣＤの輝度を低下させてしまうというデメリットを有している。
【０００４】
従って、ポリマー安定型配向又は相分離の配向（ＰＳＡ）処理とも名付けられている重合配向処理が、従来のＭＶＡ  ＬＣＤの突出部と替えるために重合体を提供し、それに伴い、ディスプレイパネルにおいてＬＣ分子にプレチルト角を持たせるよう開発されている。重合配向処理は、ＬＣ分子にプレチルト角を持たせるように、混合液晶に反応性単量体を提供するステップ、及び、その反応性単量体を照射又は加熱して重合を促進するステップを含む。しかし、従来のＰＳＡ  ＬＣＤパネルは、その液晶材料が高い回転粘度を有し、その結果、長い応答時間及び低性能なＬＣＤパネルを生じるという共通の問題を有している。
【０００５】
結果として、単純で低コストの処理を介した広視角及び短い応答時間を有するＬＣＤパネルの製作方法は、ＬＣＤ製造者にとって依然として重要な課題である。
【特許文献１】米国特許出願第２００６／０２１０７２５Ａ１号明細書
【特許文献２】米国特許出願第２００４／００１１９９６Ａ１号明細書
【特許文献３】米国特許出願第２００５／０１１６２００Ａ１号明細書
【発明の開示】
【発明が解決しようとする課題】
【０００６】
従って、従来のＰＳＡ  ＬＣＤパネルの、高い回転粘度から生じる長い応答時間という上記のデメリットを改善するために、二重結合を有する液晶化合物と反応性単量体の特定の組成物を有する混合液晶を提供することが、本発明の第一の目的である。
【課題を解決するための手段】
【０００７】
本発明によると、ＰＳＡ処理に利用される混合液晶が提供されている。当該混合液晶は、少なくとも一組のいかなる二重結合も有さない第１の液晶化合物、少なくとも一組の二重結合を有する第２の液晶化合物、及び、少なくとも一組のメタクリル酸塩を有する反応性単量体を含む。前記第２の液晶化合物の濃度は、全液晶化合物の約０．１から２０重量％（ｗｔ％）という範囲内である。
【０００８】
混合液晶が二重結合を有する第２の液晶化合物を含むので、ＬＣ分子の応答時間を改善するように混合液晶全体の回転粘度を効果的に下げることができるということは、本発明の利点である。さらに、特定濃度を有する第２の液晶化合物とメタクリル酸塩を有する反応性単量体の強調により、本発明の混合液晶は、ＬＣＤパネルの全製作費用及びディスプレイ品質も改善されるように、ＰＳＡ処理において優れた配向性能をもたらす。
【０００９】
本発明の前記及び他の目的は、種々の図及び図面に例証されている以下の好ましい実施形態の詳細な説明を読んだ後、当業者には無論明らかになる。
【発明を実施するための最良の形態】
【００１０】
図１〜３を参考にすると、図１〜３は、本発明の混合液晶を有するＬＣＤパネル１０の製作処理の概略図である。図１に示されているように、第一に、２つの透明な基板が、本発明のＬＣＤパネル１０の下側基板１２及び上側基板１４（図２に示されている）として機能するよう提供されている。下側基板１２の上面に、薄膜トランジスタ、駆動ＩＣ、走査線、及び、データ線等の多数の電気装置が配置される（図示されていない）。一方、基板１４は、その下面に配置されたカラーフィルタ（図示されていない）を含むことができる。上側基板１４及び下側基板１２が洗浄された後、配向フィルム２２を上側及び下側基板１４、１２それぞれの内部表面上に印刷することができる。次に、液晶滴下（ＯＤＦ）処理を適用して、上側基板１４と下側基板１２との間に本発明の混合液晶２４を充填することができ、ＬＣＤパネル１０が組立てられる。しかし、本発明の混合液晶２４は、ＬＣＤパネル１０を組み立てるための従来の液晶注入処理を介して上側基板１４と下側基板１２との間に充填することもできる。ＯＤＦ処理は、ＬＣＤパネル１０の組立体を完全にするように、下側基板１２の上面にシール剤１６を塗るステップ、シール剤１６により囲まれた下側基板１２の上面上に本発明の混合液晶２４を滴下するステップ、上側基板１４により下側基板１２を覆うステップ、及び、シール剤１６を硬化させるために照射又は硬化処理を行うステップを含む。次に、組み立てられたＬＣＤパネル１０を、ＬＣＤ装置として使用するために、切断し、フレキシブルプリント回路基板等の回路基板に取り付け、さらに、囲い又は枠で覆うことができる。
【００１１】
図２を参考にすると、図２は、組み立てられたＬＣＤパネル１０の一部の断面図である。導電層１８及び２０が、一般的な電極及びピクセル電極として機能するためにそれぞれ上側基板１４及び下側基板１２の内部表面上に配置されている。上側基板１４及び下側基板１２の詳しい構造は、当業者には周知であり、詳しくは説明されない。さらに、本発明の混合液晶２４は、少なくとも一組の二重結合を有さない第１の液晶化合物２６、少なくとも一組の第２の液晶化合物２８、少なくとも一組のメタクリル酸塩を有する反応性単量体３０、及び、少なくとも一組の重合開始剤３２を含み、前記液晶化合物２８のそれぞれが少なくとも１つの二重結合を有している。反応性単量体３０は、熱重合が可能な、又は、光重合が可能な反応性単量体であり、さらに、重合開始剤３２は、混合液晶２４の約０％≦Ｘ≦０．００２重量％を満たしていることが好ましいＸという濃度を有している。本発明によると、従来のＰＳＡ  ＬＣＤパネルの長い応答時間というデメリットを改善するために、本発明の混合液晶２４は、二重結合を持つアルケンを有する第２の液晶化合物２８を特に含む。第２の液晶化合物２８は、ＬＣ分子の応答時間を改善するために混合液晶２４の回転粘度を効果的に減少できるように、混合化合物の粘度を低下させるという機能性を有している。粘度を減少させるために使用される第２の液晶化合物２８の化学構造式は、以下で明瞭に紹介される。
【００１２】
図３を参考にすると、ＬＣＤパネル１０の組み立て後、ＰＳＡ処理又は重合配向処理が以下のステップと同様に行われる。第一に、混合液晶２４に電場を与えて第１の液晶化合物２６及び第２の液晶化合物２８等のＬＣ分子を所定の角度まで回転させるために、直流電圧又は交流電圧等の電圧が、上側基板１４及び下側基板１２の導電層１８及び２０に繰り返し印加される。次に、電圧が依然として印加されている間、光３４又は熱がＬＣＤパネル１０に加えられる。従って、図３に示されているように、相分離が引き起こされるよう、混合液晶２４の反応性単量体３０がＬＣ分子の所定の角度に沿って重合し、重合体３６が、反応性単量体によって上側基板１４及び下側基板１２の表面上に形成される。重合体３６は、上側基板１４及び下側基板１２の表面にある配向フィルム２２上で所定の角度を有するＬＣ分子の配列方向に沿って配列されるため、ＬＣ分子にプレチルト角を与える従来技術のＭＶＡ  ＬＣＤパネルの突出部と実質的に代わることができる。従って、本発明のＬＣＤパネル１０の製造は完了する。
【００１３】
上記のように、本発明のＬＣＤパネル１０の応答時間を短縮するために、本発明の混合液晶２４は、一組の第２の液晶化合物２８を含み、該第２の液晶化合物２８のそれぞれが、少なくとも１つの二重結合を有している。前記第２の液晶化合物２８は、化学構造式（２０）の化合物：
【００１４】
【化２０】
0005020203.tif 000002
を少なくとも１つ含んでいることが好ましく、
Ｒ５は、２から８個の炭素原子を有するアルケニル基であり；Ｒ６は、１から１２個の炭素原子を有するアルキル基であり、さらに、酸素（Ｏ）原子が互いに直接結合しないように、Ｒ６の１又は２の隣接していないＣＨ２基を、−Ｏ−、−ＣＨ＝ＣＨ−、−ＣＯ−、−ＯＣＯ−、又は、−ＣＯＯ−と置換することができ；ｄは０又は１であり；さらに、
【００１５】
【化２１】
0005020203.tif 000003
は、
【００１６】
【化２２】
0005020203.tif 000004
等のフェニル基、又は、ハロゲンを有するフェニル基である。
【００１７】
より明確には、前記第２の液晶化合物２８は、化学式（２３）、化学式（２４）、又は化学式（２５）の化合物：
【００１８】
【化２３】
0005020203.tif 000005
【００１９】
【化２４】
0005020203.tif 000006
【００２０】
【化２５】
0005020203.tif 000007
を含んでいることが好ましく、
Ｒ７は２から８個の炭素原子を有するアルケニル基であり、Ｒ８は１から８個の炭素原子を有するアルキル基である。
【００２１】
一方、前記第１の液晶化合物２６は、化学式（２６）、（２７）、及び（２８）の化合物：
【００２２】
【化２６】
0005020203.tif 000008
【００２３】
【化２７】
0005020203.tif 000009
【００２４】
【化２８】
0005020203.tif 000010
を１又は複数含むことができ、
Ｒ１、Ｒ２、Ｒ３、及び、Ｒ４は、それぞれ互いから独立して、１から１２個の炭素原子を有するアルキル基であり、さらに、Ｏ原子が互いに直接結合しないように、Ｒ１、Ｒ２、Ｒ３、及び、Ｒ４のうち１又は２の隣接していないＣＨ２基は、−Ｏ−、−ＣＨ＝ＣＨ−、−ＣＯ−、−ＯＣＯ−、又は、−ＣＯＯ−と任意選択で置換され；
【００２５】
【化２９】
0005020203.tif 000011
である。
【００２６】
混合液晶２４における二重結合を有する第２の液晶化合物２８の存在が、混合液晶２４の他の物質の内容及び組成に影響するということに注目されるべきである。第２の液晶化合物２８を含んだ混合液晶２４が、重合処理中に不十分に重合する又は配列を誤るのを防ぐために、特定の液晶化合物及び反応性単量体３０の組成物及び濃度を有する特定の規定が、本発明による混合液晶２４に与えられる。本発明の好ましい実施形態において、第２の液晶化合物２８は、混合液晶２４における液晶化合物の全重量の約０．１から２０重量％という範囲の濃度を有していることが好ましい。例えば、本発明である混合液晶２４の液晶化合物の組成は、約３０から７０ｗｔ％の化学式（２６）の化合物、約１０から５０ｗｔ％の化学式（２７）の化合物、約２０から６０ｗｔ％の化学式（２８）の化合物、及び、約０．１から２０ｗｔ％の前記第２の液晶化合物２８を含むことができ、濃度の重量パーセントという単位「ｗｔ％」は、混合液晶２４における液晶化合物の全重量に基づいている。
【００２７】
一方、本発明の反応性単量体３０は、化学式（３０）（３１）（３２）（３３）又は（３４）の化合物を少なくとも１つを含み、さらに、混合液晶における重合体成分が、０．１％≦Ｙ≦１０％（重量％）を満たすＹという濃度を有していることが好ましい。
【００２８】
【化３０】
0005020203.tif 000012
【００２９】
【化３１】
0005020203.tif 000013
【００３０】
【化３２】
0005020203.tif 000014
【００３１】
【化３３】
0005020203.tif 000015
【００３２】
【化３４】
0005020203.tif 000016
式中、Ｒは、水素（Ｈ）、フッ素（Ｆ）、塩素（Ｃｌ）、シアン（ＣＮ）、ＳＣＮ、−ＳＦ５Ｈ、ＮＯ２、１から１２個の炭素原子を有する直鎖若しくは分岐鎖のアルキル基、又は、−Ｘ２−Ｓｐ２−Ｐ２であり；
Ｘ１及びＸ２は、独立して、−Ｏ−、−Ｓ−、−ＯＣＨ２−、−ＣＯ−、−ＣＯＯ−、−ＯＣＯ−、−ＣＯ−Ｎ０Ｒ−、−Ｎ０Ｒ−ＣＯ−、−ＳＣＨ２−、−ＣＨ２Ｓ−、−ＣＨ＝ＣＨ−ＣＯＯ−、−ＯＯＣ−ＣＨ＝ＣＨ−又は一重結合であり；
Ｐ１及びＰ２は、独立して、重合可能な基であり、さらに、Ｐ１若しくはＰ２のうちの１つがメタクリル酸塩、又は、Ｐ１もＰ２もメタクリル酸塩であることが好ましく；
Ｓｐ１及びＳｐ２は、独立して、スペーサ基又は１つの基であり；
Ｌｍは、独立して、Ｆ、Ｃｌ、ＣＮ、又は、１から７個の炭素原子を有するアルキル基、アルキルカルボニル基、アルコキシカルボニル基、若しくは、アルキルカルボニロキシ基であり；
ｍ≧１であり；
ｎ≧１であり；さらに、
Ｑ１及びＱ２は、独立して、−Ｏ−、−Ｓ−、−ＣＯ−、−ＣＯＯ−、−ＯＣＯ−、−ＯＣＨ２−、−ＳＣＨ２−、−ＣＨ２Ｓ−、−ＣＨ＝ＣＨ−ＣＯＯ−、−ＯＣＣ−ＣＨ＝ＣＨ−、−ＣＦ２Ｏ−、−ＯＣＦ２−、−ＣＦ２Ｓ−、−ＳＣＦ２−、−Ｃ２Ｈ４−、−ＣＦ２ＣＨ２−、−ＣＨ２ＣＦ２−、−ＣＦ２ＣＦ２−、−ＣＨ＝ＣＨ−、−ＣＦ＝ＣＦ−，−Ｃ≡Ｃ−、又は一重結合である。
さらに、Ｒが１から１２個の炭素原子を有する直鎖又は分岐鎖のアルキル基である場合、Ｏ及び／又はＳ原子が互いに直接結合しないように、１又は２の隣接していないＣＨ２基を、−Ｏ−、−Ｓ−、−ＣＨ＝ＣＨ−、−ＣＯ−、−ＯＣＯ−、−ＣＯＯ−、−Ｓ−ＣＯ−、−ＣＯ−Ｓ−、又は、−Ｃ≡Ｃ−（アルキン）と置換することができる。Ｌが、１から７個の炭素原子を有するアルキル基、アルキルカルボニル基、アルコキシカルボニル基、又は、アルキルカルボニロキシ基である場合、１又は複数のそのＨ原子を、Ｆ又はＣｌと置換することができる。より明確には、本発明の好ましい実施形態において、前記反応性単量体３０は、化学式（３５）の化合物：
【００３３】
【化３５】
0005020203.tif 000017
を含むことができる。
【００３４】
本発明の混合液晶２４は、化学式（３０）（３１）（３２）（３３）又は（３４）の反応性単量体３０、及び、第２の液晶化合物２８を特定の濃度で含んでいるため、混合液晶２４の回転粘度は効果的に減少され、従って、ＬＣＤパネル１０の応答時間は短縮され、さらに、混合ＬＣ２４の配向性能は改善される。本発明のＬＣＤパネル１０の駆動電圧と従来技術のＬＣＤパネルに対する応答時間の曲線グラフが、図４〜５に示されている。図４は、ＬＣ分子を上側及び下側基板と平行して横に置くためにＬＣＤパネルに駆動電圧を印加する際の応答時間Ｔｏｎを表している。図４に示されているように、本発明のＬＣＤパネル１０の応答時間Ｔｏｎは、６から７ボルトの駆動電圧下のみで従来技術のＬＣＤパネルの応答時間よりも少し長いけれども、ほとんどの場合、従来技術のＬＣＤパネルの応答時間よりも短い。図５を参考にすると、図５は、駆動電圧が取り除かれた場合に、プレチルト角を有する本来の配向方向まではじき戻されるＬＣ分子の応答時間Ｔｏｆｆを示している。本発明のＬＣＤパネル１０の応答時間Ｔｏｆｆは、図５に示されているように、約３から４ミリセカンドと従来技術のＬＣＤパネルの応答時間よりもかなり短い。それは、本発明の混合液晶２４が、混合物の粘度を減少させるという機能を有する反応性単量体３０及び第２の液晶化合物２８を含んでいるためである。結果として、混合液晶２４の回転粘度を効果的に減少させることができ、応答時間Ｔｏｆｆは、明らかに短縮される。

【００３５】
従来技術とは対照的に、本発明は、混合液晶、又は、該混合液晶を有するＬＣＤ装置を提供し、その混合液晶は、一組の二重結合を有する第２の液晶化合物、及び、メタクリル反応性単量体を含み、同時に、その第２の液晶化合物は混合液晶において特定の濃度を有している。従って、ＬＣＤ装置の応答時間の性能全体を改善するために、さらには、ＰＳＡ処理中のＬＣ分子の配向性能を改善するために、混合液晶の回転粘度を効果的に減少させることができる。結果として、単純な製作処理を用いた低い製作費用、広視角、及び短い応答時間を有するＬＣＤ装置が、本発明に従い提供される。
【００３６】
当業者は、本発明の教えを保つと同時に、装置及び方法における数多くの修正及び変更を行うことができると容易に気がつくであろう。
【図面の簡単な説明】
【００３７】
【図１】本発明によるＬＣＤパネルの製作処理の概略図である。
【図２】本発明によるＬＣＤパネルの製作処理の概略図である。
【図３】本発明によるＬＣＤパネルの製作処理の概略図である。
【図４】本発明のＬＣＤパネル及び従来のＬＣＤパネルの駆動電圧それぞれに対する応答時間の曲線グラフである。
【図５】本発明のＬＣＤパネル及び従来のＬＣＤパネルの駆動電圧それぞれに対する応答時間の曲線グラフである。
【符号の説明】
【００３８】
１２  下側基板
１４  上側基板
２４  混合液晶
２６  第１の液晶化合物
２８  第２の液晶化合物
３０  反応性単量体
３２  開始剤
３６  重合体
【図１】
0005020203.tif 000037
【図２】
0005020203.tif 000038
【図３】
0005020203.tif 000039
【図４】
0005020203.tif 000040
【図５】
0005020203.tif 000041